(57)【要約】【課題】  狭額縁化が容易な電子機器表示窓のタッチ入力機能付き保護パネルを提供する。【解決手段】  本発明は、電子機器表示窓のタッチ入力機能付き保護パネにおいて、上部電極シートと下部電極パネルとの接着に用いる枠状の糊材の内縁を、入力機能を保証するアクティブエリアに隅部を除いて部分的又は全体的に近づけたものである。  したがって、タッチ入力機能付き保護パネルの外形寸法が決まっている場合には、入力機能を保証するアクティブエリア（入力エリア）を広げることが容易であり、また入力エリアの広さが決まっている場合ではタッチ入力機能付き保護パネルの外形を小さくすることが容易である。【選択図】      図１
2008287670.tif 000002
【特許請求の範囲】
【請求項１】
非可撓性の保護パネル本体の上面に矩形の下部透明電極と当該下部透明電極の周囲に設けられた下部回路とを有する下部電極パネルと、
可撓性の透明絶縁フィルムの下面に矩形の上部透明電極と当該上部透明電極の周囲に設けられた上部回路とを有し、枠状の糊材にて前記下部電極パネルと電極間に隙間を形成して周縁部で接着された上部電極シートと、
可撓性の透明絶縁フィルムの少なくとも一方の面に前記下部回路及び前記上部回路を隠蔽して透明窓部を形成する加飾層を有し、上部電極シートの上面に貼り合わされた加飾シートと、
前記上部回路及び前記下部回路から電気信号を取り出す端子とを備え、
開口を有するケーシングのパネル嵌め込み部に、その外側面が同一平面を形成するように隙間なく嵌め込み保持可能に構成されると共に、前記透明窓部を通して外部から視認可能にその下側に配置されたディスプレイ装置を保護する電子機器表示窓のタッチ入力機能付き保護パネルであって、
前記枠状の糊材の内縁を、入力機能を保証するアクティブエリアに隅部を除いて部分的又は全体的に近づけたものであることを特徴とする電子機器表示窓のタッチ入力機能付き保護パネル。
【請求項２】
前記アクティブエリアが四角形であり、その四隅を除いて前記枠状の糊材の内縁を近づけたものである請求項１に記載の電子機器表示窓のタッチ入力機能付き保護パネル。
【請求項３】
前記枠状の糊材の前記隅部に対応する内縁が、弧を描いている請求項１又は請求項２のいずれかに記載の電子機器表示窓のタッチ入力機能付き保護パネル。
【発明の詳細な説明】
【技術分野】
【０００１】
本発明は、ＰＤＡ、ハンディターミナルなど携帯情報端末、コピー機、ファクシミリなどＯＡ機器、スマートフォン、携帯電話機、携帯ゲーム機器、電子辞書、カーナビシステム、小型ＰＣ、各種家電品等の用途に用いられ、狭額縁化が容易なタッチ入力機能付き保護パネルに関するものである。
【背景技術】
【０００２】
携帯電話機、スマートフォン等の電子機器におけるケーシングは、合成樹脂製の前面ケーシングと背面ケーシングを組み合わせて構成されたものが一般的である。具体的には、前面ケーシングの表面にはＬＣＤ等のディスプレイ２０の表示窓を保護するために保護パネルが融着等により固定されている。そして、この保護パネルは、従来、無色透明な樹脂のパネルが用いられてきたが、電子機器のファッション化に伴い、印刷にて縁取り等の加飾が施されるようになってきている。
【０００３】
また、近年、携帯電話機では次なるインターフェイスとして、図１５に示すような当該保護パネルに入力デバイス機能を備えたものが期待されており、例えば、特許文献１などに開示されている。
【０００４】
電子機器表示窓のタッチ入力機能付き保護パネル１について、図１６の分解図を用いて更に詳しく説明する。同図において、電子機器表示窓のタッチ入力機能付き保護パネル１００は、非可撓性の保護パネル本体３ａの上面に下部透明電極５と当該下部透明電極５の周囲に設けられた下部回路７ａ，７ｂとを有する下部電極パネル１０３と、可撓性の透明絶縁フィルムの下面に前記下部透明電極５に対向する位置に設けられた上部透明電極４と当該上部透明電極４の周囲に設けられた上部回路６ａ，６ｂ，７ａ，７ｂとを有し、図示しない枠状の糊材１０８にて前記下部電極パネル１０３と電極４，５間に隙間を形成して周縁部で接着された上部電極シート１０２ａと、可撓性の透明絶縁フィルムに前記下部回路７ａ，７ｂ及び前記上部回路６ａ，６ｂを絵柄１７で隠蔽して透明窓部１８を形成する加飾層を有する加飾シート１０２ｂと、を備えたものになっている。
【０００５】
前記上部電極シート１０２ａ及び前記下部電極パネル１０３の内面には、各透明電極４，５としてＩＴＯ（酸化インジウム・すず）等がスパッタリングや真空蒸着によって矩形状に形成されている。前記上部電極シート１０２ａには透明電極４と接続される銀ペーストからなる帯状のバスバーが平行に形成され、前記下部電極パネル３には前記バスバーと直交する方向に透明電極５と接続される銀ペーストからなる帯状のバスバーが形成されている。各バスバーは上部電極シート１０２ａの縁部に設けられた接続部まで回路が延設されて１箇所にまとめられている。
【０００６】
前記加飾シート１０２ｂは前記上部電極シート１０２ａの前面全体に図示しない透明な糊材にて貼り合わされており（上部電極シートおよびその表面に積層されたシート全体を可動シートと呼ぶ）、指やペン等で前記加飾シート１０２ｂ表面を押圧すると、可動シート１０２が一体となって下方に撓み、その結果、前記上部電極シート１０２ａ及び下部電極パネル１０３の内面に形成された各透明電極４，５が接触することによって入力位置が検出される。
【０００７】
【特許文献１】国際公開第２００５／０６４４５１号パンフレット
【発明の開示】
【発明が解決しようとする課題】
【０００８】
図１７に従来技術におけるタッチ入力機能付き保護パネル１００の入力機能を保証するアクティブエリア１５と枠状の糊材１０８の関係を示す。前記タッチ入力機能付き保護パネル１００においては、前記下部電極パネル１０３と前記上部電極シート１０２ａとを電極４，５間に隙間を形成して周縁部で接着する前記枠状の糊材１０８は、当該糊材１０８の四角形状の内縁から入力機能を保証するアクティブエリア（入力エリア）１５までの距離をどこでも一定以上確保して形成する。この確保する距離は２ｍｍ〜１０ｍｍ程度である。
【０００９】
前述の通り、指やペン等で前記加飾シート１０２ｂ表面を押圧すると、可動シート１０２が一体となって下方に撓み、その結果、前記上部電極シート１０２ａ及び下部電極パネル１０３の内面に形成された各透明電極４，５が接触することによって入力位置が検出されるが、この指やペン等による入力荷重は前記糊材１０８の内縁近くでは重くなるため、確実に電極４，５が接触するアクティブエリア１５と前記糊材１０８の内縁との間に前記距離が必要なのである。
【００１０】
しかしながら、従来技術のように前記糊材の四角形状の内縁から入力エリアまでの距離をどこでも一定以上確保しなければならないと、狭額縁化は困難であった。すなわち、タッチ入力機能付き保護パネルの外形寸法が決まっている場合には、入力機能を保証するアクティブエリア（入力エリア）を広げることは困難であり、また入力エリアの広さが決まっている場合ではタッチ入力機能付き保護パネルの外形を小さくすることは困難であった。
【００１１】
本発明は、以上のような従来技術の課題を考慮し、狭額縁化が容易な電子機器表示窓のタッチ入力機能付き保護パネルを提供するものである。
【課題を解決するための手段】
【００１２】
本発明は、非可撓性の保護パネル本体の上面に矩形の下部透明電極と当該下部透明電極の周囲に設けられた下部回路とを有する下部電極パネルと、
可撓性の透明絶縁フィルムの下面に矩形の上部透明電極と当該上部透明電極の周囲に設けられた上部回路とを有し、枠状の糊材にて前記下部電極パネルと電極間に隙間を形成して周縁部で接着された上部電極シートと、
可撓性の透明絶縁フィルムの少なくとも一方の面に前記下部回路及び前記上部回路を隠蔽して透明窓部を形成する加飾層を有し、上部電極シートの上面に貼り合わされた加飾シートと、
前記上部回路及び前記下部回路から電気信号を取り出す端子とを備え、
開口を有するケーシングのパネル嵌め込み部に、その外側面が同一平面を形成するように隙間なく嵌め込み保持可能に構成されると共に、前記透明窓部を通して外部から視認可能にその下側に配置されたディスプレイ装置を保護する電子機器表示窓のタッチ入力機能付き保護パネルであって、
前記枠状の糊材の内縁を、入力機能を保証するアクティブエリアに隅部を除いて部分的又は全体的に近づけたものであるあるように構成した。
【００１３】
前記構成において、前記アクティブエリアが四角形であり、その四隅を除いて前記枠状の糊材の内縁を近づけたものであるように構成した。
【００１４】
前記各構成において、前記枠状の糊材の前記隅部に対応する内縁が、弧を描いているように構成した。
【発明の効果】
【００１５】
本発明に従えば、前記枠状の糊材の内縁を入力機能を保証するアクティブエリアに、軽い入力荷重を確保するための隅部を除いて、部分的又は全体的に近づけたものであるので、狭額縁化が容易である。すなわち、タッチ入力機能付き保護パネルの外形寸法が決まっている場合には、入力機能を保証するアクティブエリア（入力エリア）を広げることが容易であり、また入力エリアの広さが決まっている場合ではタッチ入力機能付き保護パネルの外形を小さくすることが容易である。
【発明を実施するための最良の形態】
【００１６】
以下、図面に示した実施の形態に基づいて本発明を詳細に説明する。
【００１７】
本発明の電子機器表示窓のタッチ入力機能付き保護パネル１は、図１５に示すように、開口を有するケーシング１９のパネル嵌め込み部に、その外側面が同一平面を形成するように隙間なく嵌め込み保持可能に構成されると共に、前記透明窓部を通して外部から視認可能にその下側に配置されたディスプレイ２０を保護することができるものである。
【００１８】
図１は、本発明に係る電子機器表示窓のタッチ入力機能付き保護パネルの構成の一実施例を示す分解斜視図である。
【００１９】
同図において、電子機器表示窓のタッチ入力機能付き保護パネル１は、非可撓性の保護パネル本体３ａの上面に矩形の下部透明電極５と当該下部透明電極５の周囲に設けられた下部回路７ａ，７ｂとを有する下部電極パネル３と、可撓性の透明絶縁フィルムの下面に矩形の上部透明電極４と当該上部透明電極４の周囲に設けられた上部回路６ａ，６ｂとを有する上部電極シート２ａと、可撓性の透明絶縁フィルムの少なくとも一方の面に前記下部回路及び前記上部回路を隠蔽して透明窓部１８を形成する加飾層を有する加飾シート２ｂと、を備えている。上部電極シート２ａと加飾シート２ｂとは、後述するように、互いに貼り合わされて可動シート２を構成する。
【００２０】
前記上部電極シート２ａと前記下部電極パネル３とは、電極４，５間にギャップ（空気層）を形成して図１中の枠状の糊材８により接着され、前記加飾シート２ｂが前記上部電極シート２ａの上面に図示しない透明粘着剤にて貼り合わせられている。
【００２１】
［発明が解決しようとする課題］の項でも述べたように、指やペン等による入力荷重は前記糊材８の内縁近くでは重くなるのであるが、これを本発明者らがさらに詳しく分析したところ、入力機能を保証するアクティブエリア（入力エリア）１５の隅部近くの入力荷重が、その他に比べて極めて重いことがわかった。そこで、本発明においては、前記枠状の糊材８は、図１に示すように、内縁を入力機能を保証するアクティブエリア（入力エリア）１５に隅部を除いて近づけた形状のものとした。本図の場合は前記アクティブエリア１５が四角形であるから、前記枠状の糊材８の内縁は、四隅を除いてアクティブエリア１５に近づけている。このように構成することによって、狭額縁化が容易となるのである。すなわち、タッチ入力機能付き保護パネル１の外形寸法が決まっている場合には、入力機能を保証するアクティブエリア１５を広げることが容易であり（図２参照）、またアクティブエリア１５の広さが決まっている場合ではタッチ入力機能付き保護パネルの外形を小さくすることが容易である（図３参照）。図３中の１０８は従来の糊材８である。
【００２２】
なお、前記枠状の糊材８の内縁は、入力機能を保証するアクティブエリアに隅部を除いて部分的に近づけてもよいし、図１〜３に示すように隅部を除いて全体的に近づけてもよい。前者の部分的に近づける態様としては、例えば、前記枠状の糊材８の内縁を、四隅を除いて四角形のアクティブエリア１５のうち対向する一組の２辺のみ近づけるように構成することができる。
【００２３】
前記枠状の糊材８の前記隅部に対応する内縁は、図１〜図３に示すように弧を描いているように構成することができる。この場合、前記枠状の糊材８の前記隅部に対応する内縁が角を作る二直線の交点を有していないので、繰り返し入力を行なっても経時的に外観不良が発生しにくいという利点がある。より詳しく説明すると、前記角を作る二直線の交点を有している場合、入力時に常にこの交点を起点とする凹みを有する可動シートの変形が起こりやすく、繰り返し入力を行なっているうちに経時的に変形痕が可動シート表面に残ってしまう虞れがある。しかし、前記隅部に対応する内縁が弧を描くように構成すれば、可動シートが変形しても常に特定の箇所を起点とする凹みとはならないので、経時的に変形痕が可動シート表面に残りにくい。
【００２４】
なお、本特許請求の範囲及び本明細書においては、枠状の糊材の内縁形状について、入力機能を保証するアクティブエリアに隅部を除いて部分的又は全体的に近づけたものであると定義付けしているが、これは前記隅部に対応する内縁が弧を描くように構成した結果として当該弧を描く内縁が僅かにアクティブエリアに近づく場合まで技術的範囲から除外するものではない。隅部に対応する内縁が弧を描くように構成するのは、あくまで隅部近傍における入力荷重を低く抑えた上で、なおかつ繰り返し入力による経時的な外観不良を防ぐためである。
【００２５】
また、本発明に係る枠状の糊材８の形状としては、様々なバリエーションが考えられる。図４〜図１１にその一例を示す。
【００２６】
本発明のように前記枠状の糊材８の糊幅を工夫することにより、入力荷重にどのような変化が見られるか測定した結果を、以下に示す。図１２は、前記枠状の糊材８の内縁のうち１辺について、内縁の隅部を除き、入力機能を保証するアクティブエリアに当該辺の中間点で最も近づくように糊幅を変化させた測定用サンプル（糊幅Ａ）である。図１３は、前記枠状の糊材８の内縁のうち１辺について、前記糊幅Ａの最大幅に合わせて糊幅を均一とした測定用サンプル（糊幅Ｂ）である。各サンプルを用いて作製したタッチ入力機能付き保護パネルについて測定箇所１〜１２における入力荷重を測定したところ、図１４のグラフに示すような結果が得られた。すなわち、糊幅Ａは糊幅Ｂに比べて前記枠状の糊材８の隅部近傍における入力荷重が低減されている。
【００２７】
なお、前記枠状の糊材８の前記隅部に対応する内縁と外縁との幅は１ｍｍ以上とする。これを超えて幅を狭くすると、前記枠状の糊材８で囲まれた空気層部分の密閉性を確実に得ることが難しくなる。密閉性が得られないと、前記空気層部分にゴミ等が混入して透明窓部１８の視認性が低下したり、前記空気層中の空気が外に逃げて前記上部電極シート２ａが撓むことによりニュートンリングや絶縁不良が発生したりする虞れがある。
【００２８】
前記上部電極シート２ａと前記下部電極パネル３との間には通常、スペーサーを設け、それぞれの対向面に設けられている両電極４，５が誤接触しないように構成する。スペーサー９としては、透明な光硬化型樹脂をフォトプロセスで微細なドット状に形成して得ることができる。また、印刷法により微細なドットを多数形成してスペーサー９とすることもできる。
【００２９】
前記下部電極パネル３の前記非可撓性の保護パネル本体３ａの材質としては、透視性に優れ、液晶パネルや有機ＥＬパネルなどのディスプレイ２０を破損から保護できる材料を用いる。例えば、メタクリル樹脂（ＰＭＭＡ）、アクリロ二トリル-スチレン共重合体樹脂（ＡＳ）、アクリロニトリル-ブタジエン-スチレン共重合体樹脂（ＡＢＳ）、セルロースプロピネオート樹脂、ポリカーボネート樹脂（ＰＣ）、ポリスチレン樹脂（ＰＳ）、ポリエステル樹脂、ポリエチレン樹脂などなどのプラスチック板などを用いることができる。特にメタアクリレート（ＰＭＭＡ）が透明に優れている。また、ガラス板を用いてもよい。本発明においては、加工性の面でポリカーボネート樹脂がとくに好ましい。
【００３０】
また、これらの板の前記下部透明電極５を形成する面に、ポリカーボネート系、ポリアミド系、若しくはポリエーテルケトン系などのエンジニアリングプラスチック、アクリル系、ポリエチレンテレフタレート系、又は、ポリブチレンテレフタレート系などのフィルムを貼り合わせ、当該フィルムを介して前記下部透明電極５を前記下部電極パネル３としてもよい。
【００３１】
また、前記上部電極シート２ａの前記可撓性の透明絶縁フィルムの材質としては、例えば、ポリカーボネート系、ポリアミド系、若しくはポリエーテルケトン系などのエンジニアリングプラスチック、アクリル系、ポリエチレンテレフタレート系、又は、ポリブチレンテレフタレート系などのフィルムを用いることができる。
【００３２】
前記透明電極４，５としては、酸化錫、酸化インジウム、酸化アンチモン、酸化亜鉛、酸化カドミウム、若しくは、インジウムチンオキサイド（ＩＴＯ）などの金属酸化物膜、又は、これらの金属酸化物を主体とする複合膜、又は、金、銀、銅、錫、ニッケル、アルミニウム、若しくは、パラジウムなどの金属膜等が真空蒸着法、スパッタリング、イオンプレーティング、若しくは、ＣＶＤ法によって透明導電膜を形成した後、不要な部分をエッチング除去して矩形状に形成されている。エッチングは、電極として残したい部分にフォトリソ法やスクリーン印刷法によりレジストを形成した後、塩酸などのエッチング液に浸漬するかあるいはエッチング液を噴射してレジストが形成されていない部分の透明導電膜を除去し、次いで溶剤に浸漬することにより、レジストを剥離または溶解させて除去する。また、レーザーによるエッチングも可能である。
【００３３】
また、前記上部電極シート２ａおよび前記下部電極パネル３においては、前記上部透明電極４や前記下部透明電極５と同一面にバスバーや引き回し線等の所定パターンの上部回路６ａ，６ｂ及び下部回路７ａ，７ｂが形成され、当該上部回路６ａ，６ｂ及び下部回路７ａ，７ｂから電気信号を取り出す端子によって外部に出力される。電気信号の取り出し方法としては、前記下部電極パネル３にドリル又はプレス機にて設けられた貫通孔９ａ，９ｂ，９ｃ，９ｄを介して裏面端子、例えば図１に示したようにピン付きＦＰＣ１０によって外部に出力するとよい。なお、引き回し線の形成パターンは端子に接続されるものであればどのように形成してもよい。また、裏面端子は、ピン付きＦＰＣ１０に限定されず、例えば貫通孔９ａ，９ｂ，９ｃ，９ｄに挿入されたピンのみであってもよい。さらに、電気信号の取り出し方法としては、前記下部電極パネル３の裏面から取り出す以外に、タッチパネルで通常行なわれているように前記上部電極シート２ａおよび前記下部電極パネル３の間に側方より市販のＦＰＣを挿入することによって外部に出力することもできる。
【００３４】
また、前記上部回路及び前記下部回路の材料としては、金、銀、銅、若しくは、ニッケルなどの金属、あるいはカーボンなどの導電性を有するペーストからなり、スクリーン印刷、オフセット印刷、グラビア印刷、若しくはフレキソ印刷などの印刷法、フォトレジスト法、又は、刷毛塗法などによって形成することができる。
【００３５】
また、前記加飾シート２ｂは、可撓性の透明絶縁フィルム、例えばポリカーボネート系、ポリアミド系、若しくは、ポリエーテルケトン系のエンジニアリングプラスチック、アクリル系、ポリエチレンテレフタール系、若しくは、ポリブチレンテレフタール系などのフィルムの片面に透明窓部１８の周囲、すなわち前記上部回路６ａ，６ｂや前記下部回路７ａ，７ｂなどを隠蔽するように絵柄１７で加飾層が形成されている。
【００３６】
前記加飾層は、ポリビニル系樹脂、ポリアミド系樹脂、ポリエステル系樹脂、ポリアクリル系樹脂、ポリウレタン系樹脂、ポリビニルアセタール系樹脂、ポリエステルウレタン系樹脂、若しくは、アルキド樹脂などの樹脂をバインダ−とし、適切な色の顔料又は染料を着色剤として含有する着色インキを用いるとよい。前記加飾層の形成方法としては、スクリーン印刷、オフセット印刷、グラビア印刷、若しくは、フレキソ印刷などの通常印刷法などを用いるとよい。特に、多色刷りや階調表現を行うには、オフセット印刷法やグラビア印刷法が
適している。
【００３７】
また、前記加飾層は、金属薄膜層からなるもの、あるいは絵柄印刷層と金属薄膜層との組み合わせからなるものでもよい。金属薄膜層は、前記加飾層として金属光沢を表現するものであり、真空蒸着法、スパッタリング法、イオンプレーティング法、若しくは、鍍金法などで形成する。この場合、表現したい金属光沢色に応じて、アルミニウム、ニッケル、金、白金、クロム鉄、銅、スズ、インジウム、銀、チタニウム、鉛、若しくは、亜鉛などの金属、又は、これらの合金又は化合物を使用する。金属薄膜層の膜厚は、０．０５μｍ程度とするのが一般的である。また、金属薄膜層を設ける際に、他の層との密着性を向上させるために、前アンカー層や後アンカー層を設けてもよい。
【００３８】
なお、前記加飾シート２ｂ表面には、ハードコートフィルムが貼り合わせられていてもよい。
【００３９】
前記枠状の糊材８としては、枠状に打抜いた両面接着テープや、アクリル樹脂、エポキシ樹脂、フェノール樹脂、ビニル樹脂などからなる絶縁性の透明粘着剤を用いる。透明粘着剤を用いる場合の前記枠状の糊材８の形成方法としては、スクリーン印刷、オフセット印刷、グラビア印刷、若しくは、フレキソ印刷などの通常印刷法などを用いるとよい。
【００４０】
以上のように構成することにより、この保護パネル１は、保護パネル本体３ａの前面にタッチ入力機能を有するものとなり、図１５に示すように保護パネル１を携帯電話機等の電子機器の開口を有するケーシング１９のパネル嵌め込み部に嵌め込むことにより、電子機器の外表面における入力が可能である。
【実施例】
【００４１】
＜実施例１＞
ロール状の厚み１００μｍのポリカーボネート（ＰＣ）フィルムからなる透明絶縁フィルムの片面に厚み２０ｎｍのＩＴＯ膜をスパッタリングにて全面に形成し、エッチングにて不要部のＩＴＯ膜をエッチング除去することにより矩形状をした下部透明電極を形成した。次に、下部透明電極上全面にエポキシアクリレート系の熱硬化型樹脂を用いスクリーン印刷にて、微細なドッド状のスペーサーを形成した。また下部透明電極の縦方向に対向する二辺に配置される下部バスバーと当該下部バスバーから各々外部に出力するための引き回し線を、下部回路として、銀ペーストをスクリーン印刷して形成した。次いで、スクリーン印刷法により微細なドットを多数形成してスペーサーとした。最後に前記下部回路の絶縁を保護するように、シールド層をスクリーン印刷した後、縦４９０ｍｍ×横５１０ｍｍのシート状にカットした。
【００４２】
また、縦横が上記ＰＣフィルムと同寸法で厚み１．０ｍｍのポリカーボネート板を、上記ＰＣフィルムの下部透明電極を形成した面とは反対面に厚み０．０２５ｍｍのＰＳＡからなる透明粘着剤で貼り合わせた後、縁部に裏面端子であるピン付ＦＰＣのピン軸を挿入するための径１ｍｍの貫通孔を、ドリル法により４つ一列に並べて穿説して下部電極パネルを得た。
【００４３】
また、ロール状の厚み１８８μｍのポリエチレンテレフタレート（ＰＥＴ）フィルムからなる可撓性の透明絶縁フィルムを用い、その一面に厚み２０ｎｍのＩＴＯ膜をスパッタリングにて全面に形成し、縦横が下部電極パネルと同寸法のシート状にカットした後、エッチングにて不要部のＩＴＯ膜を除去することにより矩形状をした上部透明電極を形成した。また上部透明電極の横方向に対向する二辺に配置される上部バスバーと当該上部バスバーから各々外部に出力するための引き回し線を、上部回路として、銀ペーストをスクリーン印刷することにより形成して上部電極シートを得た。
【００４４】
さらに、ロール状の厚み１２５μｍのＰＥＴフィルムからなる可撓性の透明絶縁フィルムを用い、片面に紫外線硬化型のアクリル系のハードコートをグラビア印刷で塗布し、片面ハードコート付きＰＥＴフィルムを得た。また、ロール状の厚み５０μｍのＰＥＴフィルムからなる可撓性の透明絶縁フィルムを用い、片面にポリエステル系樹脂に顔料を分散した着色インキをスクリーン印刷にて縦６５ｍｍ×横４０ｍｍの透明窓部を有する加飾層を形成し、加飾フィルムを得た。更に前記片面ハードコート付きＰＥＴフィルムと前記加飾フィルムとをＰＳＡからなる透明粘着剤を用いて全面で貼合した後、縦横が上部電極シートと同寸法のシート状にカットしてハードコート付きの加飾シートを得た。
【００４５】
次に、上記加飾シートの加飾層側の面を上記上部電極シートの上部透明電極側とは反対面と厚み０．０２５ｍｍのＰＳＡからなる透明粘着剤で貼り合わせ、また前記下部電極パネルと前記上部電極シートとを、それぞれに形成された電極間を隔てるように対向配置させ、電極間のギャップ形成用抜き孔および裏面端子（ピン付ＦＰＣ）との接続のための抜き孔を形成したエマルジョン系の糊印刷より貼り合わせた。なお、前記枠状のギャップ形成用抜き孔は、前記枠状の糊層の内縁を、入力機能を保証する縦６４ｍｍ×横３９ｍｍの四角形状のアクティブエリアに隅部を除いて１ｍｍの距離まで近づけるように抜かれており、前記枠状の糊層の前記隅部に対応する内縁が弧を描いている。また、前記枠状の糊材の前記隅部に対応する内縁と外縁との最小幅は１ｍｍである。
【００４６】
その後、前記下部電極パネルに穿設された貫通孔に導電性接着剤のインキをディスペンサーにて注入した後、裏面端子の金属ピンを貫通孔の入り口に沿え、超音波インサート装置によって前記金属ピンの頭部に超音波振動と圧力を加えつつ前記金属ピンの軸部を前記貫通孔に圧入させることにより、前記金属ピンの各軸部を前記下部電極パネルに穿設された貫通孔の壁面を形成している樹脂を溶かしながら挿入し、狭額縁の保護パネルを得た。
【００４７】
なお前記様々な実施形態のうちの任意の実施形態を適宜組み合わせることにより、それぞれの有する効果を奏するようにすることができる。本発明は、添付図面を参照しながら好ましい実施形態に関連して充分に記載されているが、この技術の熟練した人々にとっては種々の変形や修正は明白である。そのような変形や修正は、請求の範囲による本発明の範囲から外れない限りにおいて、その中に含まれると理解されるべきである。
【図面の簡単な説明】
【００４８】
【図１】本発明に係る電子機器表示窓のタッチ入力機能付き保護パネルの構成の一実施例を示す分解斜視図である。
【図２】本発明に係る電子機器表示窓のタッチ入力機能付き保護パネルにおける枠状の糊材と入力機能を保証するアクティブエリアとの関係を示す図である。
【図３】本発明に係る電子機器表示窓のタッチ入力機能付き保護パネルにおける枠状の糊材と入力機能を保証するアクティブエリアとの関係を示す図である。
【図４】本発明に係る電子機器表示窓のタッチ入力機能付き保護パネルにおける枠状の糊材の一実施例を示す部分平面図である。
【図５】本発明に係る電子機器表示窓のタッチ入力機能付き保護パネルにおける枠状の糊材の一実施例を示す部分平面図である。
【図６】本発明に係る電子機器表示窓のタッチ入力機能付き保護パネルにおける枠状の糊材の一実施例を示す部分平面図である。
【図７】本発明に係る電子機器表示窓のタッチ入力機能付き保護パネルにおける枠状の糊材の一実施例を示す部分平面図である。
【図８】本発明に係る電子機器表示窓のタッチ入力機能付き保護パネルにおける枠状の糊材の一実施例を示す部分平面図である。
【図９】本発明に係る電子機器表示窓のタッチ入力機能付き保護パネルにおける枠状の糊材の一実施例を示す部分平面図である。
【図１０】本発明に係る電子機器表示窓のタッチ入力機能付き保護パネルにおける枠状の糊材の一実施例を示す部分平面図である。
【図１１】本発明に係る電子機器表示窓のタッチ入力機能付き保護パネルにおける枠状の糊材の一実施例を示す部分平面図である。
【図１２】電子機器表示窓のタッチ入力機能付き保護パネルの入力荷重測定に用いる枠状の糊材の測定用サンプルを示す平面図である。
【図１３】電子機器表示窓のタッチ入力機能付き保護パネルの入力荷重測定に用いる枠状の糊材の測定用サンプルを示す平面図である。
【図１４】電子機器表示窓のタッチ入力機能付き保護パネルの入力荷重を測定した結果を示すグラフである。
【図１５】電子機器表示窓のタッチ入力機能付き保護パネルの使用例を示す斜視図である。
【図１６】従来技術に係る電子機器表示窓のタッチ入力機能付き保護パネルの構成の一例を示す分解斜視図である。
【図１７】従来技術に係る電子機器表示窓のタッチ入力機能付き保護パネルにおける枠状の糊材と入力機能を保証するアクティブエリアとの関係を示す図である。
【符号の説明】
【００４９】
１  電子機器表示窓のタッチ入力機能付き保護パネル
２  可動シート
２ａ  上部電極シート
２ｂ  加飾シート
３  下部電極パネル
３ａ  保護パネル
４  上部透明電極
５  下部透明電極
６ａ，６ｂ  上部回路
７ａ，７ｂ  下部回路
８  糊材
９ａ，９ｂ，９ｃ，９ｄ  貫通孔
１０  ピン付ＦＰＣ
１１，１２，１３，１４  ピン
１５  アクティブエリア（入力エリア）
１７  絵柄
１８  透明窓部
１９  製品（ケーシング）
２０  ディスプレイ
１００  電子機器表示窓のタッチ入力機能付き保護パネル
１０２  可動シート
１０２ａ  上部電極シート
１０２ｂ  加飾シート
１０３  下部電極パネル
１０３ａ  保護パネル
１０８  糊材
【図１】
2008287670.tif 000003
【図２】
2008287670.tif 000004
【図３】
2008287670.tif 000005
【図４】
2008287670.tif 000006
【図５】
2008287670.tif 000007
【図６】
2008287670.tif 000008
【図７】
2008287670.tif 000009
【図８】
2008287670.tif 000010
【図９】
2008287670.tif 000011
【図１０】
2008287670.tif 000012
【図１１】
2008287670.tif 000013
【図１２】
2008287670.tif 000014
【図１３】
2008287670.tif 000015
【図１４】
2008287670.tif 000016
【図１５】
2008287670.tif 000017
【図１６】
2008287670.tif 000018
【図１７】
2008287670.tif 000019